(57)【要約】【課題】  小形化でき、操作力が小さいコネクタを提供すること。【解決手段】  コンタクト１１を保持するベース部材２１と、前記接続対象物５１の挿入を案内するガイド部材３１とを有し、前記接続対象物５１を前記コンタクト１１に接続する際に前記接続対象物５１を嵌合方向Ｉへ押圧することによって接続し、前記接続対象物５１を離脱させる際に嵌合している前記接続対象物５１を嵌合方向Ｉへ押圧することにより前記接続対象物５１が離脱可能になるイジェクト機構４１を有し、前記ベース部材２１は前記嵌合方向I及び離脱方向IIにおいて前記ガイド部材３１に所定の範囲内で移動可能に保持されている。【選択図】図１
2007066838.tif 000002
【特許請求の範囲】
【請求項１】
接続対象物と接続するコネクタにおいて、
前記接続対象物と接続する導電性のコンタクトと、該コンタクトを保持するベース部材と、前記接続対象物の挿入を案内するガイド部材とを有し、
前記接続対象物を前記コンタクトに接続する際に前記接続対象物を嵌合方向へ押圧することによって接続し、前記接続対象物を離脱させる際に嵌合している前記接続対象物を嵌合方向へ押圧することにより前記接続対象物が離脱可能になるイジェクト機構をさらに有し、
前記ベース部材は、前記接続対象物との前記嵌合方向及び前記嵌合方向とは逆向きの離脱方向において前記ガイド部材に所定の範囲内で移動可能に保持されていることを特徴とするコネクタ。
【請求項２】
接続対象物と接続するコネクタにおいて、
前記接続対象物と接続する導電性の第１コンタクトと、該第１コンタクトを保持する第１ベース部材と、第２コンタクトを保持しかつ基板に保持される第２ベース部材と、接続対象物の挿入を案内するガイド部材とを有し、
前記接続対象物と接続する際に前記接続対象物を嵌合方向へ押圧することによって接続し、前記接続対象物を離脱させる際に嵌合している前記接続対象物を嵌合方向へ押圧することにより前記接続対象物が離脱可能になるイジェクト機構をさらに有し、
前記第１コンタクトは、前記接続対象物と接続する第１接触部と、前記第２コンタクトと接続する第２接触部とを有し、
前記第２コンタクトは、前記基板の導電部と接続する第１接続部と、前記第１コンタクトと接続する第２接続部とを有し、
前記第１ベース部材は、前記接続対象物との前記嵌合方向及び前記嵌合方向とは逆向きの離脱方向において前記第２ベース部材に所定の範囲内で移動可能に保持されていることを特徴とするコネクタ。
【発明の詳細な説明】
【技術分野】
【０００１】
本発明は、接続対象物と電気的に接続し、さらに接続対象物を離脱するイジェクト機構を備えているコネクタに関する。
【背景技術】
【０００２】
従来技術１としては、インシュレータと、インシュレータに保持されるコンタクトと、カードを離脱するイジェクトレバーと、イジェクトレバーをカードの離脱方向へ常時付勢するバネとを有するプッシュ-プッシュ式カード用コネクタが開示されている（例えば、特許文献１を参照）。
【０００３】
インシュレータは、カードを離脱する一対のフレーム部を有している。フレーム部の一方にイジェクトレバーがスライド可能に装着されている。イジェクトバーは、フレームの一方にスライド可能に装着されるガイド部と、カードの挿入時にその先端に押され、かつカードの離脱時にその先端を押すカード当接部を有する。
【０００４】
従来技術２としては、基体と、この基体との間にＩＣカード収容空間を形成するカバーと、基体上を移動し得るイジェクト部材、その中央部に配置され、イジェクト部材の移動を規制するハートカムとカムレバー及びイジェクト部材の両側部に配置される２つのコイルバネを有するイジェクト機構と、ＩＣカードの凹部に係合する係止爪及びイジェクト部材の長孔に係合する突起を含むロック部材及び復帰バネを有するカードロック機構とを備えているカードロック機構付カードコネクタがある（例えば、特許文献２を参照）。
【０００５】
【特許文献１】特開２００１−２６７０１３号公報
【特許文献２】特開２００５−１０８５６９号公報
【発明の開示】
【発明が解決しようとする課題】
【０００６】
特許文献１，２では、カードがスライドする際に、インシュレータと干渉する部分を逃げる必要があるため、小型化ができないという問題がある。
【０００７】
また、カードを離脱する際に、コンタクトの接触力による摩擦力が生じるので、バネ荷重が大きくなることから大きな力で操作しなければならないという問題がある。
【０００８】
また、カードが嵌合状態にあるとき、カードを離脱させる意思がないにもかかわらず、誤ってカードをプッシュしてしまうと電気的な接続が外れてしまうという問題がある。
【０００９】
さらに、カードを離脱する際には、バネの与勢でカードが飛び出すことがある。
【００１０】
それ故に、本発明の課題は、小型化できかつ小さな操作力によって接続対象物を離脱することができるコネクタを提供することにある。
【課題を解決するための手段】
【００１１】
本発明は、接続対象物と接続するコネクタにおいて、前記接続対象物と接続する導電性のコンタクトと、該コンタクトを保持するベース部材と、前記接続対象物の挿入を案内するガイド部材とを有し、前記接続対象物を前記コンタクトに接続する際に前記接続対象物を嵌合方向へ押圧することによって接続し、前記接続対象物を離脱させる際に嵌合している前記接続対象物を嵌合方向へ押圧することにより前記接続対象物が離脱可能になるイジェクト機構をさらに有し、前記ベース部材は、前記接続対象物との前記嵌合方向及び前記嵌合方向とは逆向きの離脱方向において前記ガイド部材に所定の範囲内で移動可能に保持されていることを特徴とするコネクタであることを最も主要な特徴とする。
【発明の効果】
【００１２】
本発明のコネクタによれば、接続対象物がスライドする際に、接続対象物とベース部材とが一体に移動するように構成したので小型化することが可能となる。
【００１３】
また、接続対象物を離脱する際に接続対象物とベース部材とが一体に移動するため、コンタクトの接触力による摩擦力が生じず、コイルバネの荷重を小さくでき、小さな力で操作できる。
【００１４】
また、接続対象物が嵌合状態にあるとき、接続対象物を離脱させる意思がないにもかかわらず、誤って接続対象物をプッシュしてしまっても、電気的な接続が外れないため、接続対象物を再度プッシュすれば使用を継続できる。
【００１５】
さらに、接続対象物が離脱位置にあるときには、接続対象物とベース部材の接続は外れていないため、バネの与勢で接続対象物が飛び出してしまうことがない。
【発明を実施するための最良の形態】
【００１６】
本発明のコネクタは、接続対象物と接続するコネクタにおいて、前記接続対象物と接続する導電性のコンタクトと、該コンタクトを保持するベース部材と、前記接続対象物の挿入を案内するガイド部材とを有し、前記接続対象物を前記コンタクトに接続する際に前記接続対象物を嵌合方向へ押圧することによって接続し、前記接続対象物を離脱させる際に嵌合している前記接続対象物を嵌合方向へ押圧することにより前記接続対象物が離脱可能になるイジェクト機構をさらに有し、前記ベース部材は、前記接続対象物との前記嵌合方向及び前記嵌合方向とは逆向きの離脱方向において前記ガイド部材に所定の範囲内で移動可能に保持されていることにより実現した。
【実施例１】
【００１７】
図１及び図２は、本発明に係るコネクタの実施例１を示している。図１及び図２を参照して、コネクタ１は、接続対象物（図示せず）と接続する導電性の第１コンタクト１１と、複数の第１コンタクト１１を保持している絶縁性の第１ベース部材２１と、接続対象物の挿入を案内するガイド部材３１とを有している。
【００１８】
なお、以下の説明では、接続対象物をメモリカードとして、単にカードと呼ぶことにする。また、カードがガイド部材３１の挿入口から挿入されて第１ベース部材２１へ接続される方向を嵌合方向（図１に矢印で示したI方向）と呼び、第１ベース部材２１に嵌合しているカードを嵌合方向Iとは逆向きに移動させる方向を離脱方向（図１に矢印で示したII方向）と呼ぶことにする。
【００１９】
第１コンタクト１１は、カードに設けられているカード側コンタクトに接触する第１接触部１３と、コネクタ１を搭載する基板（図示せず）に接続する第２接触部１５ａとを有している。
【００２０】
第１ベース部材２１は、第１ベース基部２３と、嵌合方向I及び離脱方向IIを直交する第１ベース基部２３の両端部に形成されている一対のスライド部２５と、第１ベース基部２３から離脱方向IIへ延びている嵌合部２７とを有している。
【００２１】
第１ベース部材２１には複数本の第１コンタクト１１が嵌合方向Iを直交する第１ベース部材２１の長手方向で互いに間隔をもって並列に保持されている。第１ベース部材２１の嵌合部２７には、第１コンタクト１１の第１接触部１３が位置している。
【００２２】
ガイド部材３１は、嵌合方向I及び離脱方向IIに長い四角板形状の主板部３３と、嵌合方向I及び離脱方向IIを直交する主板部３３の辺のそれぞれから相対向しかつ互いに平行に対向している一対のガイドフレーム部３５，３６とを有している。
【００２３】
第１ベース部材２１は、ガイド部材２１の嵌合方向Iの奥部で一対のガイドフレーム部３５，３６部間に位置している。ガイド部材３１には、図３にも示すように、主板部３３と一対のガイドフレーム部３５，３６との接続部分にスライド溝３７が形成されている。スライド溝３７はガイド部材３１の嵌合方向Iの奥部にかつ嵌合方向I及び離脱方向IIに長穴形状となっている部分である。スライド溝３７には、第１ベース部材２７のスライド部２５が係合している。
【００２４】
したがって、第１ベース部材２１のスライド部２５は、スライド溝３７に係合しているので、嵌合方向I及び離脱方向IIにおいてガイド部材３１に所定の範囲内で移動可能に保持されている。
【００２５】
さらに、一方のガイドフレーム部３５の外側面には、嵌合方向Ｉの奥部にイジェクト機構４１が設けられている。イジェクト機構４１は、プッシュ-プッシュ式イジェクト機構として周知なものであり、特開２００５−１０８５６９号公報、特開２００４−１１９１４８号公報、特開２００２−１５１２０５号公報、及び特開２００１−２６７０１３号公報などに開示されている。
【００２６】
ここで、プッシュ-プッシュ式イジェクト機構について、概略構成を説明すると、イジェクト機構４１は、一方のガイドフレーム部３５にスライド可能に装着されているスライダ４３と、一方のガイドフレーム部３５の一方に嵌合方向Ｉの一端部が係止されているコイルバネ４４と、一方のガイドフレーム部３５に設けられているハートカム４５と、ハートカム４５内に形成されているハート型のカム溝（図示せず）を移動するカムフォロア（図示せず）とを有する。
【００２７】
カードをコンタクト１１に接続する際には、カードを嵌合方向Iへ押圧することによって接続し、カードを離脱させる際にはコネクタ１に嵌合しているカードを嵌合方向Iへ押圧することによりカードが離脱可能となる。
【００２８】
図４は、コネクタ１をノート型パーソナルコンピュータに搭載した状態を示している。なお、図４では、パーソナルコンピュータの筐体６１にコネクタ１を搭載しており、筐体６１上の操作キーや操作部を省略している。
【００２９】
図５は、図４に示したコネクタ１に挿入されるカード５１の位置を示しており、図５（Ａ）はカード５１をコネクタ１に嵌合している嵌合位置、図５（Ｂ）はカード５１をコネクタに押し込むプッシュ位置、図５（Ｃ）はカード５１がコネクタ１から離脱されている離脱位置を示している。
【００３０】
通常、図５（Ａ）に示したようにカード５１が嵌合位置にあるとき、カード５１の離脱方向IIの端面と筐体６１の外形線６３は同じ面にされる。また、図５（Ｃ）に示したカード５１が離脱位置にあるとき、カード５１は筐体６１の外形線６３から外に出るため、カード５１を手の指によって摘み外へ引き出すことができる。
【００３１】
図６は、図５に示したコネクタ１に挿入されるカード５１の位置と第１ベース部材２１の位置との関係を示しており、図６（Ａ）はカード５１をコネクタ１に挿入する初期状態、図６（Ｂ）はプッシュ位置、図６（Ｃ）は嵌合位置、図６（Ｄ）はプッシュ位置、図６（Ｅ）は離脱位置を示している。
【００３２】
第１ベース部材２１は、図６（Ｂ）に示したプッシュ位置か又はそれよりも嵌合方向Ｉの奥部までスライドできる。また、第１ベース部材２１は、図６（Ｅ）に示した離脱位置か又はそれよりも離脱方向IIの手前までスライドできる。
【００３３】
図６（Ａ）に示すようにカード５１をコネクタ１に挿入する初期状態で手の指によってカード５１をコネクタ１に挿入し、図６（Ｃ）に示した嵌合位置を通過し規定位置まで押す。ここで、カード５１を押していた手の指を離すと、コイルバネ４４の荷重によりカード５１が図６（Ｃ）に示した嵌合位置まで戻る。次に、カード５１を押し、規定位置までスライドさせる。ここで指を離すとカード５１が図６（Ｃ）に示した嵌合位置を越えて移動し、図６（Ｅ）に示した離脱位置まで移動する。次に、カード５１を引き抜く。
【００３４】
第１ベース部材２１は、図６（Ｂ）に示したプッシュ位置から図６（Ｅ）に示した離脱位置までの間で電気的な接続が保たれている。通常、カード５１が図６（Ｃ）に示した嵌合位置にあるとき、カード５１の離脱方向IIの端面と図４に示した筐体６１の外形線６３を合わせるようレイアウトされる。
【００３５】
図６（Ｅ）に示した離脱位置までカード５１が出っ張ると、カード５１を手の指によって摘み引っ張り易くなる。また、第１ベース部材２１のスライド量は、図６（Ｅ）に示した離脱位置までであるが、離脱位置を越えてスライドする場合もある。
【実施例２】
【００３６】
図７乃至図９は、本発明に係るコネクタの実施例２を示している。図７乃至図９において、実施例１と同じ部分には同じ符号を付して説明を省略する。
【００３７】
図７乃至図９を参照して、第１ベース部材２１は、ガイド部材２１の嵌合方向Iの奥部で一対のガイドフレーム部３５，３６間に位置している。ガイド部材３１には、図９にも示すように、主板部３３と一対のガイドフレーム部３５，３６との接続部分にスライド溝３７′が形成されている。
【００３８】
スライド溝３７′は、ガイド部材３１の嵌合方向Iの奥部にかつ嵌合方向I及び離脱方向IIに長穴形状となっている部分である。スライド溝３７′には、第１ベース部材のスライド部２５が係合している。
【００３９】
したがって、第１ベース部材２１のスライド部２５は、スライド溝３７′に係合しているので、嵌合方向I及び離脱方向IIにおいてガイド部材３１に所定の範囲内で移動可能に保持されている。
【００４０】
図１０は、図７乃至図９に示したコネクタに挿入されるカード５１の位置と第１ベース部材２１の位置との関係を示している。図１０（Ａ）はカード５１がコネクタ１から離脱している離脱位置、図１０（Ｂ）はプッシュ位置、図１０（Ｃ）は嵌合位置、図１０（Ｄ）はプッシュ位置を示している。
【００４１】
第１ベース部材２１は、図１０（Ｂ）に示したプッシュ位置か又はそれよりも嵌合方向Ｉの奥までスライドできる。また、第１ベース部材２１は、図１０（Ｃ）に示した嵌合位置か又はそれよりも離脱方向IIの手前までスライドできる。第１ベース部材２１は、図１０（Ａ）に示した離脱位置より奥で止まる。
【００４２】
図１０（Ａ）に示す離脱位置で手の指によってカード５１をコネクタ１に挿入し、図１０（Ｃ）に示した嵌合位置を通過し規定位置まで押す。ここで、カード５１を押していた手の指を離すと、コイルバネ４４の荷重によりカード５１が図１０（Ｃ）に示した嵌合位置まで戻る。次に、カードを押し、規定位置までスライドさせる。ここで手の指を離すとカード５１が図１０（Ｃ）に示した嵌合位置を越えて移動し、離脱する。
【００４３】
第１ベース部材２１は、図１０（Ｂ）に示したプッシュ位置から図１０（Ｃ）に示した嵌合位置までスライドするため、第１ベース部材２１とカード５１との接続が外れる。図１０（Ａ）に示した離脱位置では、第１コンタクト１１の接点は外れており、摩擦なしでカード５１を取り出せる。
【００４４】
通常、カードが図１０（Ｃ）に示した嵌合位置にあるとき、カードの離脱方向IIの端面と図６に示した筐体６１の外形線６３を合わせるようレイアウトされる。
【００４５】
図１０（Ａ）に示した離脱位置までカード５１が出っ張ると、カードを手の指によって摘み引っ張り易くなる。また、第１ベース部材２１のスライド量は、図６（Ｃ）に示した離脱位置までであるが、嵌合位置を越えて離脱位置を越えない範囲までスライドする場合もある。
【００４６】
図１１は、実施例１及び実施例２に示したコネクタ１の第１ベース部材２１に保持した第１コンタクト１１と基板との接続例１を示している。
【００４７】
図１１を参照して、第１ベース部材２１に保持した第１コンタクト１１の第２接触部１５ａは、ＦＰＣ（フレキシブル  プリンティド  サーキット）、ＦＦＣ（フレキシブル  フラットケーブル）などの基板７１の導電部７１ａに接続している。即ち、基板７１は、第１ベース部材２１がカード５１との嵌合方向I及び離脱方向IIにおいて第１ベース部材２１に所定の範囲内で移動可能に保持されてフレキシブルな基板７１が第１ベース部材２１と一体に変位する。
【００４８】
図１２は、実施例１及び２に示したコネクタ１のベース部材に保持した第１コンタクト１１と基板７３との接続例２を示している。
【００４９】
図１２を参照して、第１ベース部材２１に保持した第１コンタクト１１の第２接触部１５ａは、プリント配線基板のような基板７３の導電部７３ａに接続している。即ち、基板７３は、第１ベース部材２１がカード５１との嵌合方向I及び離脱方向IIにおいて第２ベース部材２１に所定の範囲内で移動可能に保持されて第１ベース部材２１と一体にスライドする。
【００５０】
図１３は、実施例１及び２に示したコネクタのベース部材に保持した第１コンタクト１１と基板７５との接続例３を示している。
【００５１】
図１３を参照して、第１コンタクト１１の第２接触部１５ｂは、機器に固定される基板７５に設けられている導電部（導電パッド）７５ａに接触している。即ち、第２接触部１５ｂは、第１ベース部材２１がカード５１との嵌合方向Ｉ、及び離脱方向IIにおいて第２ベース部材２１に所定の範囲内で移動可能に保持されて基板７５の導電部７５ａ上をスライドして接触する。
【００５２】
図１４は、実施例１及び実施例２に示したコネクタの第１ベース部材２１に保持した第１コンタクト１１と基板７６との接続例４を示した斜視図である。
【００５３】
図１４を参照して、コネクタ１は、第２コンタクト７７ａを保持しかつ機器の固定される基板７６の導電部７６ａに保持されている第２ベース部材７７を有している。第２コンタクト７７ａは、基板７６の導電部７６ａと接続する第１接続部７７ａと、第１コンタクト１１の第２接触部１５ｂと接続する第２接続部（導電パッド）７７ｂとを有している。
【００５４】
第２ベース部材７７は、カード５１との嵌合方向Ｉ及び離脱方向IIにおいて第２ベース部材７７に所定の範囲内で移動可能に保持されて第２接続部７７ｂを第２接触部がスライドする。
【００５５】
図１５は、実施例１及び２に示したコネクタ1の第１ベース部材２１に保持した第１コンタクト１１と第２ベース部材８１に保持した第２コンタクト８３を保持した基板８５との接続例５を一部断面して示している。図１６は、図１５に示したコネクタ１と基板８５とを示している。
【００５６】
図１５及び図１６を参照して、機器に固定される基板８５には、導電部（導電パッド）８５ａが設けられている。基板８５上には、第１ベース部材２１と、第１ベース部材２１に組み合わされている第２ベース部材８１が搭載されている。
【００５７】
第１ベース部材２１は、カード５１と接続する導電性の第１コンタクト１１を保持している。第２ベース部材８１は、第２コンタクト８３を保持している。第１コンタクト１１はカード５１と接続する第１接触部（図示せず）と、第２コンタクト８３と接続する第２接触部１５ｃとを有している。
【００５８】
第２コンタクト８３は、基板８５の導電部８５ａと接続する第１接続部８３ａと、第１コンタクト１１の第２接触部１５ｃと接続する第２接続部８３ｂとを有している。
【００５９】
第２ベース部材８１には、長手方向の両端部に第１ベース部材２１のスライド部２５に係合して第１ベース部材２１が嵌合方向Ｉ及び離脱方向IIへ移動可能とする一対のガイド枠部８１ｄが形成されている。第１ベース部材２１は、カード５１との嵌合方向Ｉ及び離脱方向IIにおいて第２ベース部８１に所定の範囲内で移動可能に保持されており、第２接続部８３ｂが第２接触部１５ｃに接触する。
【００６０】
第２接続部８３ｂは、片持ちバネ形状に形成されており、第２接続部８３ｂの先端部分が略Ｕ字状に曲げられており、先端部の外側面が接点部８３ｆとなっている。接点部８３ｆは、第１コンタクト１１の第２接触部１５ｃに接触している。
【００６１】
なお、第２コンタクト８３の第２接続部８３ｂはバネ接点となっているが、第１ベース部２１の第２接触部１５ｃをバネ接点としてバネ荷重により第２ベース部８１内をスライドするようにするようにしてもよい。
【００６２】
図１７及び図１８は、実施例１及び実施例２に示したコネクタ１に接続するカード側コネクタを示している。
【００６３】
図１７及び図１８を参照して、カード側コネクタ９１は、複数の相手コンタクト９２と、相手コンタクト９２を保持している相手ベース部材９４とを有している。
【００６４】
相手コンタクト９２は、第１コンタクト１１の第１接触部１３に接続させる相手第１接触部９２ａと、カード５１の回路に接続する相手第２接触部９２ｂとを有している。相手ベース部材９４には、第１ベース部材２１の嵌合部２７を受け入れて嵌合する相手嵌合部９５が形成されている。相手嵌合部９５には相手第１接触部９２ｂが位置している。
【００６５】
図１９は、実施例１及び２に示したコネクタに採用したプッシュ−プッシュ式イジェクト機構を分解して示している。
【００６６】
プッシュ-プッシュ式イジェクト機構４１は、一方のガイドフレーム部３５にスライド可能に装着されている。イジェクト機構４１は、スライダ４３と、スライダ４３に接続しているコイルバネ４４と、ハートカム４５と、ハートカム４５内のカム溝４５ａを移動するカムフォロア４６とを有している。
【００６７】
スライダ４３は、ガイドフレーム部３５に嵌合方向Ｉの一端部が係止されているコイルバネ４４の他端に接続されている。カムフォロア４６は、スライダ４３の移動によってハートカム４５内のカム溝４５ａを移動する。また，カムフォロア４６には、カム溝４５ａに沿って移動するガイドピン４６ａが設けられており、カムフォロア４６を所定角度で回動可能に保持する。
【００６８】
カード５１の一部がコネクタ１内に挿入された初期位置では、カムフォロア４６のガイドピン４６ａは、ハートカム４５の出発点に位置する。次に、カード５１を嵌合方向Ｉへプッシュし、カード５１の先端がスライダ４３のカード当接部分４３ａに当接することによって、カード５１とスライダ４３とが一体となって、コネクタ１内へコイルバネ４４の圧縮力に抵抗しながらスライドする。ガイドピン４６ａは、ハートカム４５におけるスライダ４３のスライド方向に対して傾斜したガイド部分に位置する。
【００６９】
続いて、カード５１を最大ストロークまで、プッシュした後に、プッシュを中止すると、カード５１とスライダ４３とは、コイルバネ４４の復元力によってわずかに戻されて、ガイドピン４６ａはハートカム４５のカム溝４５ａに没入して位置する。これでカード５１の嵌合状態は完了する。
【００７０】
再び、カード５１を最大のストロークまでプッシュした後に、プッシュを中止すると、ガイドピン４６ａは、ハートカム４５のカム溝４５ａから脱出してスライダ４３のスライド方向に対して平行なガイド部分を経て終着点、即ち、出発点に至る。カード５１とスライダ４３とは、コイルバネ４４の復元力によって戻りカード５１の離脱操作が完了する。
【００７１】
図２０（Ａ）及び図２０（Ｂ）は、本発明に係るコネクタ１と、従来のコネクタ１′のとの比較例を示している。図２０（Ａ）は実施例１及び実施例２のコネクタ１、図２０（Ｂ）は従来のコネクタ１′を示している。
【００７２】
図２０（Ａ）に示したように、第１ベース部材２１と図１７及び図１８に示したカード側コネクタ９１とが一緒にスライドするため、図２０（Ｂ）に示した従来のコネクタ１′のような嵌合方向Ｉ及び離脱方向IIにおけるクリアランスＣＲが不要となる。
【００７３】
また、クリアランスＣＲが不要な分、図１７及び図１８に示したカード側コネクタ９１を小形化することが可能であり、カード５１の内部のデッドスペースを少なくすることが可能となる。
【００７４】
一方、図２０（Ｂ）に示した従来のコネクタ１′では、嵌合位置からプッシュ位置までのスライド距離分のクリアランスＣＲが必要であるから、カード側コネクタ９１′が大きくなる。
【実施例３】
【００７５】
図２１乃至図２４は、本発明に係るコネクタの実施例３を示している。図２１乃至図２４を参照して、コネクタ１０１は、カード１５１と接続する導電性の第１コンタクト１１１と、第１コンタクト１１１を保持する第１ベース部材１２１と、カード１５１の挿入を案内するガイド部材１３１と、イジェクト機構１４１と、第１コンタクトに接続するＦＰＣ１７１とを有している。
【００７６】
イジェクト機構１４１は、カード１５１と接続する際にカード１５１を嵌合方向Ｉへ押圧することによって接続し、カード１５１を離脱させる際に嵌合しているカード１５１を嵌合方向Ｉへ押圧することによりカード１５１が離脱可能になる。
【００７７】
第１コンタクト１１１は、第１接触部１１３と、ＦＰＣ１７１に設けられているＦＰＣコネクタ１７２に接続している第２接触部１５１とを有する。
【００７８】
第１ベース部材１２１は、ベース基部１２３と、嵌合方向I及び離脱方向IIを直交するベース基部１２３の両端部に形成されているスライド部１２５，１２６と、離脱方向IIへ延びている一対の嵌合部１２７とを有している。
【００７９】
第１ベース部材１２１には、複数本の第１コンタクト１１１が嵌合方向Iを直交する第１ベース部材１２１の長手方向で互いに間隔をもって並列に保持されている。さらに、第１ベース部材１２１の嵌合部１１３には、第１コンタクト１１１の第１接触部１１３が位置している。
【００８０】
ガイド部材１３１は、四角板形状の主板部１３３と、嵌合方向I及び離脱方向IIを直交する主板部１３３の一対の辺のそれぞれから相対向しかつ互いに平行な一対のガイドフレーム部１３５，１３６とを有している。
【００８１】
第１ベース部材１２１は、ガイド部材１３１の嵌合方向Iの奥部で一対のガイドフレーム部１３５、１３６間に位置している。ガイド部材１３１には、嵌合方向Iの一対のガイドフレーム部１３５ａ、１３６ａにスライド穴１３５ｂ、１３６ｂが形成されている。スライド穴１３５ｂ、１３６ｂはガイド部材１３１の嵌合方向Iの奥部にかつ嵌合方向I及び離脱方向IIに長穴形状となっている部分である。スライド穴１３５ｂ、１３６ｂには、ベース部材１２１のスライド部１２５，１２６が一対一に係合している。
【００８２】
したがって、第１ベース部材１２１のスライド部１２５，１２６は、スライド穴１３５ｂ、１３６ｂに係合しているので、嵌合方向I及び離脱方向IIにおいてガイド部材１３１に所定の範囲内で移動可能に保持されている。
【００８３】
イジェクト機構１４１は、嵌合方向I及び離脱方向IIを直交する方向に長いカム部材１４５と、２つのコイルバネ１４７とを有している。カム部材１４５には中央にカム突部（ハートカム）１４６が設けられている。主板部１３３の嵌合方向Ｉ側で嵌合方向I及び離脱方向IIを直交する中央部に主板部１３３を切り起こして形成されている係止片１３３ａは、図１９のカムフォロア４６のガイドピン４６aに相当するものである。
【００８４】
コイルバネ１４７の一端は、主板部１３３の離脱方向II側で主板部１３３を切り起こし形成されている係止片１３３ｂに係止されている。コイルバネ１４７の他端は、カム部材１４５の長手方向の両端部にそれぞれ係止されている。
【００８５】
図２５は図２１に示したコネクタ１０１にカード１５１が嵌合している状態を示している。図２６は、コネクタ１０１からカード１５１が離脱された状態を示している。図２５及び図２６によってカード１５１の離脱量Ｐを示している。
【００８６】
図２７は、図２１に示したコネクタの動作を示している。図２７（Ａ）はカード初期位置、図２７（Ｂ）はカード１５１を押し込み時、図２７（Ｃ）はカード離脱時、図２７（Ｄ）はカード挿入時を示している。
【００８７】
カム部材１４５は、コネクタ１０１に水平に移動できる。カム部材１４５は、コイルバネ１４７により常に中心に戻ろうとする。コネクタ１０１は、コイルバネ１４７により常にカード１５１の離脱方向IIに力を受けている。カム部材１４５はコネクタ１０１の挿入、離脱方向の移動に追従する。カム部材１４５は図２７（Ｃ）に示したようにカム突起１４６によって挿入、離脱方向の位置を規制される。
【産業上の利用可能性】
【００８８】
本発明のコネクタは、ＰＤＡ（personal digital assistance）、携帯電話機、電話機、携帯型オーディオ、カメラなどの電子機器に取り付けられて、ＳＤメモリカード、マルチメディアカード（ＭＭＣ）、ＩＣメモリが内蔵されているＩＣメモリカードなどのカードを接続するコネクタとしての用途に適用できる。
【図面の簡単な説明】
【００８９】
【図１】本発明に係るコネクタを示す斜視図である（実施例１）。
【図２】図１に示したコネクタを底面側から見た状態を示す斜視図である。
【図３】図１に示したコネクタのスライド溝の部分を拡大して示した斜視図である。
【図４】図１に示したコネクタをノート型パーソナルコンピュータに搭載した状態を示す斜視図である。
【図５】図４に示したコネクタに挿入されるカードの位置を示す平面図であり、（Ａ）は嵌合位置、（Ｂ）はプッシュ位置、（Ｃ）は離脱位置を示している。
【図６】図５に示したコネクタに挿入されるカードの位置とベース部材の位置との関係を示す平面図であり、（Ａ）はカードをコネクタに挿入した状態を示しており、（Ｂ）はプッシュ位置、（Ｃ）は嵌合位置、（Ｄ）はプッシュ位置、（Ｅ）は離脱位置を示してる。
【図７】本発明に係るコネクタを示す斜視図である（実施例２）。
【図８】図７に示したコネクタを底面側から見た状態を示す斜視図である。
【図９】図７に示したコネクタのスライド溝の部分を拡大して示した斜視図である。
【図１０】図７に示したコネクタに挿入されるカードの位置とベース部材の位置との関係を示す平面図であり、（Ａ）はカードをコネクタに挿入した初期状態を示しており、（Ｂ）はプッシュ位置、（Ｃ）は嵌合位置、（Ｄ）はプッシュ位置を示している。
【図１１】実施例１及び２に示したコネクタのベース部材に保持したコンタクトと基板との接続例１を示した斜視図である。
【図１２】実施例１及び２に示したコネクタのベース部材に保持したコンタクトと基板との接続例２を示した斜視図である。
【図１３】実施例１及び２に示したコネクタのベース部材に保持したコンタクトと基板との接続例３を示した斜視図である。
【図１４】実施例１及び２に示したコネクタのベース部材に保持したコンタクトと基板との接続例４を示した斜視図である。
【図１５】実施例１及び２に示したコネクタの第１ベース部材に保持した第１コンタクトと第２ベース部材に保持した第２コンタクトを保持した基板との接続例６を、一部断面して示した斜視図である。
【図１６】図１５に示したコネクタと基板とを示した斜視図である。
【図１７】実施例１及び２に示したコネクタに接続するカード側コネクタを示す斜視図である。
【図１８】図１７に示したコネクタを背面から見た状態の斜視図である。
【図１９】実施例１及び２に示したコネクタに採用したプッシュ−プッシュ式イジェクト機構を分解して示した斜視図である。
【図２０】本発明に係るコネクタと、従来のコネクタとの比較例を示した側面図であり、（Ａ）は実施例１及び２のコネクタ、（Ｂ）は従来技術におけるコネクタを示している。
【図２１】本発明に係るコネクタを示す斜視図である（実施例３）。
【図２２】図２１に示したコネクタの底面側から見た斜視図である。
【図２３】図２１のコネクタの側面図である。
【図２４】図２１に示したコネクタを分解して示した斜視図である。
【図２５】図２１に示したコネクタの平面図である。
【図２６】図２５に示したコネクタにおけるカードの離脱量を示す平面図である。
【図２７】図２１に示したコネクタの動作を示す平面図であり、（Ａ）はカード初期位置、（Ｂ）はカード押し込み時、（Ｃ）はカード離脱時、（Ｄ）はカード挿入時を示している。
【符号の説明】
【００９０】
１，１′，１０１    コネクタ
１１，１１１    第１コンタクト
１３    第１接触部
１５ａ    第２接触部
２１，１２１    第１ベース部材
２３    第１ベース基部
２５    スライド部
２７    嵌合部
３１，１３１    ガイド部材
３５，３６、１３５，１３６    ガイドフレーム部
３７，３７′    スライド溝
４１，１４１    イジェクト機構
４３    スライダ
４４，１４７    コイルバネ
４５    ハートカム
４６    カムフォロア
４６ａ    ガイドピン
５１，１５１    カード
６１    筐体
６３    外形線
７５,７６,８５    基板
７５ａ，７６ａ, ８５ａ    導電部
７７ａ，８３    第２コンタクト
７７    第２ベース部材
７７ａ,８３ａ    第１接続部
７７ｂ，８３ｂ    第２接続部
８１    第２ベース部材
９１    カード側コネクタ
１７１    ＦＰＣ
I    嵌合方向
II    離脱方向
【図１】
2007066838.tif 000003
【図２】
2007066838.tif 000004
【図３】
2007066838.tif 000005
【図４】
2007066838.tif 000006
【図５】
2007066838.tif 000007
【図６】
2007066838.tif 000008
【図７】
2007066838.tif 000009
【図８】
2007066838.tif 000010
【図９】
2007066838.tif 000011
【図１０】
2007066838.tif 000012
【図１１】
2007066838.tif 000013
【図１２】
2007066838.tif 000014
【図１３】
2007066838.tif 000015
【図１４】
2007066838.tif 000016
【図１５】
2007066838.tif 000017
【図１６】
2007066838.tif 000018
【図１７】
2007066838.tif 000019
【図１８】
2007066838.tif 000020
【図１９】
2007066838.tif 000021
【図２０】
2007066838.tif 000022
【図２１】
2007066838.tif 000023
【図２２】
2007066838.tif 000024
【図２３】
2007066838.tif 000025
【図２４】
2007066838.tif 000026
【図２５】
2007066838.tif 000027
【図２６】
2007066838.tif 000028
【図２７】
2007066838.tif 000029